(57)【要約】【課題】利用者の識別情報にシステムで一意となる優先度を付加し、この優先度に従い同時使用時の優先順位を決定して、利用者ごとに番組録画を記録することが可能になるテレビ機能一体型情報処理装置およびその利用者優先度識別方法を提供する。【解決手段】テレビ番組の録画機能を有するテレビ機能一体型情報処理装置において、既存の番組予約情報の放送時間帯と、ログオン中の番組予約情報の放送時間帯とが重複することを検出する手段と、前記放送時間帯の重複した予約情報がある場合、前記既存の番組予約情報の利用者と、前記ログオン中の番組予約情報の利用者間の優先順位に基づき番組予約情報を決定する手段と、前記決定した番組予約情報を保存する手段とを備えている。【選択図】図２
2007228182.tif 000002
【特許請求の範囲】
【請求項１】
テレビ番組の録画機能を有するテレビ機能一体型情報処理装置において、
ログオン中の番組予約情報の放送時間帯と、既存の番組予約情報の放送時間帯とが重複することを検出する手段と、
前記放送時間帯の重複した予約情報がある場合、前記既存の番組予約情報の利用者と、前記ログオン中の番組予約情報の利用者間の優先順位に基づき番組予約情報を決定する手段と、
前記決定した番組予約情報を保存する手段と、
を備えることを特徴とするテレビ機能一体型情報処理装置。
【請求項２】
テレビ番組の録画機能を有するテレビ機能一体型情報処理装置において、
直近の番組予約情報を取得し、現在時刻とを比較してログオン中の利用者が存在するか否かを検出する手段と、
前記直近の番組予約情報の利用者と、ログオン中の利用者とが存在する場合、前記直近の番組予約情報の利用者と、前記ログオン中の利用者間の優先順位に基づき番組予約情報を決定する手段と、
前記決定した番組予約情報を保存する手段と、
を備えることを特徴とするテレビ機能一体型情報処理装置。
【請求項３】
テレビ機能一体型情報処理装置の利用者優先度識別方法において、
ログオン中の番組予約情報の放送時間帯と、既存の番組予約情報の放送時間帯とが重複することを検出するステップと、
前記放送時間帯の重複した予約情報がある場合、前記既存の番組予約情報の利用者と、前記ログオン中の番組予約情報の利用者間の優先順位に基づき番組予約情報を決定するステップと、
前記決定した番組予約情報を保存するステップと、
を含むことを特徴とする利用者優先度識別方法。
【請求項４】
テレビ機能一体型情報処理装置の利用者優先度識別方法において、
直近の番組予約情報を取得し、現在時刻とを比較してログオン中の利用者が存在するか否かを検出するステップと、
前記直近の番組予約情報の利用者と、ログオン中の利用者とが存在する場合、前記直近の番組予約情報の利用者と、前記ログオン中の利用者間の優先順位に基づき番組予約情報を決定するステップと、
前記決定した番組予約情報を保存するステップと、
を含むことを特徴とする利用者優先度識別方法。
【請求項５】
コンピュータにログオン中の番組予約情報の放送時間帯と、既存の番組予約情報の放送時間帯とが重複することを検出するステップと、
前記放送時間帯の重複した予約情報がある場合、前記既存の番組予約情報の利用者と、前記ログオン中の番組予約情報の利用者間の優先順位に基づき番組予約情報を決定するステップと、
前記決定した番組予約情報を保存するステップと、
を実行させるためのプログラム。
【請求項６】
コンピュータに直近の番組予約情報を取得し、現在時刻とを比較してログオン中の利用者が存在するか否かを検出するステップと、
前記直近の番組予約情報の利用者と、ログオン中の利用者とが存在する場合、前記直近の番組予約情報の利用者と、前記ログオン中の利用者間の優先順位に基づき番組予約情報を決定するステップと、
前記決定した番組予約情報を保存するステップと、
を実行させるためのプログラム。
【発明の詳細な説明】
【技術分野】
【０００１】
本発明は、テレビ番組録画機能を有するテレビ機能一体型情報処理装置、その利用者優先度識別方法及びプログラムに係り、特に、一つの装置を複数の利用者でテレビ番組を録画する場合において、利用者優先度識別を可能にしたテレビ機能一体型情報処理装置、その利用者優先度識別方法及びプログラムに関するものである。
【背景技術】
【０００２】
近年、テレビ機能を一体化した情報処理装置の普及がめざましく、テレビ番組の録音再生機能も取り込んだ製品が世の中に出回っている。
【０００３】
一方、いわゆるビデオレコーダのようなテレビ録画可能な家電製品では、完全に一個人で使用するか、複数人で利用の場合には共用することを前提に録画機能を提供するのが一般的である。ところが、１台のハードディスクレコーダ等の記録再生装置を複数のユーザで使用している場合において、複数の番組予約が重複した場合の優先順位を複数のユーザ間の優先順位に従って、番組予約を決定する発明が開示されている。（例えば、特許文献１参照）。
【０００４】
この発明は、具体的にはリモコンにより使用者の優先度を決定するものであり、ログオン（Log-on) による優先度の割り振りを行うものと相違する。ログオン（Log-on) は、パソコン通信やインターネット、あるいはその他のネットワークへ接続し、データの交換ができる状態にすることであり、テレビ機能一体型情報処理装置においては、テレビ番組の視聴や操作もログオン（Log-on) と、ログオフ（Log-off)が前提となる。
【０００５】
また、テレビ機能一体型情報処理装置であるいわゆるパーソナルコンピュータにおいて、複数人の利用者を識別できる機能を持っていたとしても、テレビ番組を録画する際には、ある固定した利用者のみの利用を想定しているか、複数の利用者による利用であっても、全ての利用者を同列に扱っており、利用者を識別したものは存在しなかった。
【特許文献１】特開２００１−２９８６８６号公報
【発明の開示】
【発明が解決しようとする課題】
【０００６】
従来は、テレビ機能一体型情報処理装置において、テレビ受信部などの録画に関する資源が一つであり、番組視聴や録画予約の時間が重複した場合（同時使用）に対応できないものであった。
【０００７】
本発明は、上述した従来の問題点を解決するために、利用者の識別情報にシステムで一意となる優先度を付加し、この優先度に従い同時使用時の優先順位を決定して、利用者ごとに番組録画を記録することが可能になるテレビ機能一体型情報処理装置、その利用者優先度識別方法及びプログラムを提供することを課題とする。
【課題を解決するための手段】
【０００８】
上記課題を解決するための第１の発明は、テレビ番組の録画機能を有するテレビ機能一体型情報処理装置において、ログオン中の番組予約情報の放送時間帯と、既存の番組予約情報の放送時間帯とが重複することを検出する手段と、前記放送時間帯の重複した予約情報がある場合、前記既存の番組予約情報の利用者と、前記ログオン中の番組予約情報の利用者間の優先順位に基づき番組予約情報を決定する手段と、前記決定した番組予約情報を保存する手段とを備えている。
【０００９】
この第１の発明によれば、テレビ番組録画機能を有するテレビ機能一体型情報処理装置において、１台の装置を複数の利用者が番組の録画予約を行う際に、それぞれ異なる番組予約の時間帯が重複した場合に、録画されることの期待値の高いものが録画されるテレビ一体型情報処理装置を提供できる。
【００１０】
第２の発明は、テレビ番組の録画機能を有するテレビ機能一体型情報処理装置において、直近の番組予約情報を取得し、現在時刻とを比較してログオン中の利用者が存在するか否かを検出する手段と、前記直近の番組予約情報の利用者と、ログオン中の利用者とが存在する場合、前記直近の番組予約情報の利用者と、前記ログオン中の利用者間の優先順位に基づき番組予約情報を決定する手段と、前記決定した番組予約情報を保存する手段とを備えている。
【００１１】
この第２の発明によれば、テレビ番組録画機能を有するテレビ機能一体型情報処理装置の利用者が装置をログオンしてテレビ番組を視聴中又はコンピュータの操作中に、他の利用者による直近の番組録画情報の予約が存在する場合に、各利用者間の優先情報を利用して、一意の利用者の選択を可能にするテレビ一体型情報処理装置を提供できる。
【００１２】
第３の発明は、テレビ機能一体型情報処理装置の利用者優先度識別方法において、ログオン中の番組予約情報の放送時間帯と、既存の番組予約情報の放送時間帯とが重複することを検出するステップと、前記放送時間帯の重複した予約情報がある場合、前記既存の番組予約情報の利用者と、前記ログオン中の番組予約情報の利用者間の優先順位に基づき番組予約情報を決定するステップと、前記決定した番組予約情報を保存するステップとを含んでいる。
【００１３】
この第３の発明によれば、テレビ番組録画機能を有する１台のテレビ機能一体型情報処理装置を複数の利用者が番組の録画予約を行う際に、それぞれ異なる番組予約の時間帯が重複した場合に、録画されることの期待値の高いものが録画される利用者優先度識別方法を提供できる。
【００１４】
第４の発明は、テレビ機能一体型情報処理装置の利用者優先度識別方法において、直近の番組予約情報を取得し、現在時刻とを比較してログオン中の利用者が存在するか否かを検出するステップと、前記直近の番組予約情報の利用者と、ログオン中の利用者とが存在する場合、前記直近の番組予約情報の利用者と、前記ログオン中の利用者間の優先順位に基づき番組予約情報を決定するステップと、前記決定した番組予約情報を保存するステップとを含んでいる。
【００１５】
この第４の発明によれば、テレビ番組録画機能を有するテレビ機能一体型情報処理装置の利用者が装置をログオンしてテレビ番組を視聴中又はコンピュータの操作中に、他の利用者による直近の番組録画情報の予約が存在する場合に、各利用者間の優先情報を利用して、一意の利用者の選択を可能にする利用者優先度識別方法を提供できる。
【００１６】
第５の発明は、コンピュータにログオン中の番組予約情報の放送時間帯と、既存の番組予約情報の放送時間帯とが重複することを検出するステップと、前記放送時間帯の重複した予約情報がある場合、前記既存の番組予約情報の利用者と、前記ログオン中の番組予約情報の利用者間の優先順位に基づき番組予約情報を決定するステップと、前記決定した番組予約情報を保存するステップとを実行させるためのプログラムである。
【００１７】
この第５の発明によれば、コンピュータにテレビ番組録画機能を有する１台のテレビ機能一体型情報処理装置を複数の利用者が番組の録画予約を行う際に、それぞれ異なる番組予約の時間帯が重複した場合に、録画されることの期待値の高いものが録画される利用者優先度識別プログラムを提供できる。
【００１８】
第６の発明は、コンピュータに直近の番組予約情報を取得し、現在時刻とを比較してログオン中の利用者が存在するか否かを検出するステップと、前記直近の番組予約情報の利用者と、ログオン中の利用者とが存在する場合、前記直近の番組予約情報の利用者と、前記ログオン中の利用者間の優先順位に基づき番組予約情報を決定するステップと、前記決定した番組予約情報を保存するステップとを実行させるためのプログラムである。
【００１９】
この第６の発明によれば、テレビ番組録画機能を有するテレビ機能一体型情報処理装置の利用者が装置をログオンしてテレビ番組を視聴中又はコンピュータの操作中に、他の利用者による直近の番組録画情報の予約が存在する場合に、各利用者間の優先情報を利用して、一意の利用者の選択を可能にする利用者優先度識別プログラムを提供できる
【発明の効果】
【００２０】
以上、本発明のテレビ機能一体型情報処理装置、その利用者優先度識別方法およびプログラムによれば、番組録画情報の重複時に録画されることの期待値の高いものが録画されるとともに、利用者に番組録画の優先度をつけることで、異なる番組録画情報の放送時間帯が重複した場合、優先度による選択を行うことができる。また、ある利用者がテレビ番組を視聴中又はコンピュータの操作中に録画優先度の高い利用者の録画時間が来た場合は、優先度の高い録画が実行され、優先度の低い利用者の録画時間が来た場合には、ログオン中の利用者が録画のための切り替えを許可、もしくは拒否できる。
【００２１】
更には、１台のテレビ機能一体型情報処理で複数人が各人専用のビデオレコーダーのような利用が可能になる。すなわち、テレビ番組録画を行うアプリケーションが、利用者用の保存先にテレビ番組を保存するだけで、録画したテレビ番組の内、自分の録画したものと共有されているもののみが選択できるため、自分の知らないテレビ番組に気を取られることなく探す事ができる。
【発明を実施するための最良の形態】
【００２２】
以下、本発明の実施の形態について、図を参照しながら説明する。
【００２３】
図１は、本発明を適用するテレビ機能一体型情報処理装置の構成図である。同図において、１はＣＰＵであり、装置を構成する各部との命令の解釈と実行を制御する。２はメモリであり、命令を実行するために使われるアドレス可能な記憶空間である。３はモニタであり、装置内の選択された動作を監視、管理、制御を行うために記録するとともに、テレビ画像を表示する。４はＨＤＤであり、録画番組の録画信号を録画する録画媒体である。５はＴＶチューナであり、テレビ放送画像を見ることを可能にする。６はキーボードであり、利用者がキーを操作することにより、キーに対応する信号が送り出される入出力部である。テレビ機能一体型情報処理装置においては、ＴＶチューナ５と、ＨＤＤ４とが情報処理装置（いわゆるパソコン）に一体的に備わっており、テレビ放送の受信、及びテレビ番組の録画予約も行えるようになっている。
【００２４】
図２は、本発明の一実施形態における利用者優先度識別機能を構成するブロック図であり、特に、１台の装置を複数の利用者が利用する場合、複数のテレビ番組予約利用者間の優先度識別機能を構成するブロック図である。同図において、１１は優先度を利用者へ付加する優先度設定部、１２は利用者情報を保存する利用者情報保存部、１３は予約が重複しているか否かを判定する予約重複判定部、１４は予約情報を入力する予約情報入力部、１５は現在の利用者を判定する利用者判定部、１６は予約時刻になったか否かを検出するタイマ部、１７は予約情報を保存する予約情報保存部、１８は利用者のシステムへのログオン・ログオフを行うログオン・ログオフ部、１９はテレビ番組を録画する録画部、２０は録画したテレビ番組を利用者ごとに保存または共有して保存する録画保存部である。
【００２５】
タイマ部１６により、予約情報にある予約時刻を検出する。予約時刻になった際に、利用者判定部１５により現在の利用者を取得し、予約の利用者と優先度を比較する。比較の結果、ログオン・ログオフ部１８により優先度が高い方の利用者にログオンし、その後、録画部１９により録画し、録画したテレビ番組を録画保存部２０で保存する。
【００２６】
予約を行う場合、予約情報入力部１４で予約情報を入力する。入力された予約情報は予約重複判定部１３で判定し、重複している場合にはすでに予約されている予約情報の利用者の優先度と現在の利用者の優先度を比較する。現在の利用者の優先度が高い場合、重複している既存の予約情報を削除して自分の予約情報を入力するか否かを現在の利用者に問い合わせを行う。現在の利用者の優先度が低い場合、予約は拒否される。優先度設定部１１はそれぞれの利用者へ一意の優先度を設定する。
【００２７】
図３は、本発明の一実施形態におけるテレビ番組の録画予約が重複した場合のフローチャートである。以下、図３の動作フローについて、図１と図２を用いて説明する。
【００２８】
Ｓ１. 利用者によるキーボード６操作で、モニタ３には予約入力画面が表示される。
【００２９】
Ｓ２．利用者によるキーボード６操作で、ＨＤＤ４内の予約情報入力部１４には予約情報が入力される。
【００３０】
Ｓ３. 予約重複判定部１３にて、既存の予約と時間が重複しているか否かを判定する。      
【００３１】
Ｓ４．Ｓ３にて、重複していると判定されると、予約情報保存部１７からの情報を得て、重複した予約情報の利用者とログオン中の利用者は同じか否かを判定する。
【００３２】
Ｓ５．利用者情報保存部１２から情報を得て、ログオン中の利用者（Ａ）の優先度と、予約情報の利用者（Ｂ）の優先度との優先度比較を行い、（Ａ）＞（Ｂ）の場合には、Ｓ６へ、（Ａ）＜（Ｂ）の場合はＳ７へ移行する。
【００３３】
Ｓ６．重複した予約情報を削除して、予約をするか否かを尋ねるメッセージをモニタ３に表示する。
【００３４】
Ｓ７．既に他の予約があるために予約できない旨のメッセージをモニタ３に表示する。      
【００３５】
Ｓ８. 利用者は、予約が重複している状況を踏まえて、新たな予約をするか否かを判断し、キーボード６から予約確定の入力又は予約中止の入力を行う。
【００３６】
Ｓ９．予約情報保存部１７には新たな予約情報が保存される。
【００３７】
Ｓ１０．予約情報保存部１７には新たな予約情報が保存されず、既存の予約情報が継続して保存される。
【００３８】
図４は、本発明の一実施形態におけるテレビ番組視聴中に番組予約時間となった場合のフローチャートである。以下、図４の動作フローについて、図１と図２を用いて説明する。
【００３９】
Ｓ１１．タイマ部１６は、予約情報を監視するためのタイマを開始する。
【００４０】
Ｓ１２．タイマ部１６は、予約情報保存部１７から直近の予約情報を取得する。
【００４１】
Ｓ１３．直近の予約時間と現在時刻とを比較する。
【００４２】
Ｓ１４．利用者判定部１５により、ログオン中の利用者がいるか否かを判定する。
【００４３】
Ｓ１５．利用者判定部１５にて、予約情報の利用者とログオン中の利用者が同じか否かを判定する。
【００４４】
Ｓ１６．利用者情報保存部１２から情報を得て、ログオン中の利用者（Ａ）の優先度と、予約情報の利用者（Ｂ）の優先度との優先度比較を行い、（Ａ）＞（Ｂ）の場合には、Ｓ１７へ、（Ａ）＜（Ｂ）の場合はＳ２０へ移行する。
【００４５】
Ｓ１７．予約のため利用者を切り替えて良いか否かを尋ねるメッセージをモニタ３に表示する。
【００４６】
Ｓ１８．ログオン中の利用者は、直近時刻に番組予約の利用者が存在することを知った上で、テレビ番組の視聴を続けるか、既存の予約利用者へ切り替えても良いかを判断し、キーボード６から視聴継続の入力又は視聴中止の入力を行う。
【００４７】
Ｓ１９．他の利用者が番組録画を再生する際に、その予約がキャンセルされたのを認識できるように、キャンセル通知が録画保存部２０に保存される。
【００４８】
Ｓ２０．ログオン中の利用者は、ログオン・ログオフ部１８にてログアウトされる。        
【００４９】
Ｓ２１．ログオン・ログオフ部１８は、利用者判定部１５の指示により、既存の予約情報の利用者をログオンする。
【００５０】
Ｓ２２．録画部１９が駆動し、録画保存部２０へ予約番組が録画される。
【００５１】
以上の実施例を含む実施形態に関し、更に以下の付記を開示する。
【００５２】
（付記１）  テレビ番組の録画機能を有するテレビ機能一体型情報処理装置において、ログオン中の番組予約情報の放送時間帯と、既存の番組予約情報の放送時間帯とが重複することを検出する手段と、前記放送時間帯の重複した予約情報がある場合、前記既存の番組予約情報の利用者と、前記ログオン中の番組予約情報の利用者間の優先順位に基づき番組予約情報を決定する手段と、前記決定した番組予約情報を保存する手段とを備えることを特徴とするテレビ機能一体型情報処理装置。
（付記２）  テレビ番組の録画機能を有するテレビ機能一体型情報処理装置において、直近の番組予約情報を取得し、現在時刻とを比較してログオン中の利用者が存在するか否かを検出する手段と、前記直近の番組予約情報の利用者と、ログオン中の利用者とが存在する場合、前記直近の番組予約情報の利用者と、前記ログオン中の利用者間の優先順位に基づき番組予約情報を決定する手段と、前記決定した番組予約情報を保存する手段とを備えることを特徴とするテレビ機能一体型情報処理装置。
（付記３）  付記１記載のテレビ機能一体型情報処理装置において、更に、ログオン中の番組予約情報の利用者に対して、既存の番組予約情報を削除して、番組予約を行うかどうかを尋ねるメッセージを表示する手段を備えることを特徴とするテレビ機能一体型情報処理装置。
【００５３】
（付記４）  付記２記載のテレビ機能一体型情報処理装置において、更に、ログオン中の利用者に対して、直近の番組予約情報に切り替えて良いかどうかを尋ねるメッセージを表示する手段を備えることを特徴とするテレビ機能一体型情報処理装置。
【００５４】
（付記５）  テレビ機能一体型情報処理装置の利用者優先度識別方法において、ログオン中の番組予約情報の放送時間帯とが重複することを検出するステップと、前記放送時間帯の重複した予約情報がある場合、前記既存の番組予約情報の利用者と、前記ログオン中の番組予約情報の利用者間の優先順位に基づき番組予約情報を決定するステップと、前記決定した番組予約情報を保存するステップとを含むことを特徴とする利用者優先度識別方法。
（付記６）  テレビ機能一体型情報処理装置の利用者優先度識別方法において、直近の番組予約情報を取得し、現在時刻とを比較してログオン中の利用者が存在するか否かを検出するステップと、前記直近の番組予約情報の利用者と、ログオン中の利用者とが存在する場合、前記直近の番組予約情報の利用者と、前記ログオン中の利用者間の優先順位に基づき番組予約情報を決定するステップと、前記決定した番組予約情報を保存するステップとを含むことを特徴とする利用者優先度識別方法。
（付記７）  付記５記載の利用者優先度識別方法において、更に、ログオン中の番組予約情報の利用者に対して、既存の番組予約情報を削除して、番組予約を行うかどうかを尋ねるメッセージを表示するステップを備えることを特徴とする利用者優先度識別方法。        
【００５５】
（付記８）  付記６記載の利用者優先度識別方法において、更に、ログオン中の利用者に対して、直近の番組予約情報に切り替えて良いかどうかを尋ねるメッセージを表示するステップを備えることを特徴とする利用者優先度識別方法。
【００５６】
（付記９）  コンピュータにログオン中の番組予約情報の放送時間帯と、既存の番組予約情報の放送時間帯とが重複することを検出するステップと、前記放送時間帯の重複した予約情報がある場合、前記既存の番組予約情報の利用者と、前記ログオン中の番組予約情報の利用者間の優先順位に基づき番組予約情報を決定するステップと、前記決定した番組予約情報を保存するステップとを実行させるためのプログラム。
（付記１０）  コンピュータに直近の番組予約情報を取得し、現在時刻とを比較してログオン中の利用者が存在するか否かを検出するステップと、前記直近の番組予約情報の利用者と、ログオン中の利用者とが存在する場合、前記直近の番組予約情報の利用者と、前記ログオン中の利用者間の優先順位に基づき番組予約情報を決定するステップと、前記決定した番組予約情報を保存するステップとを実行させるためのプログラム。
（付記１１）  付記９記載のプログラムにおいて、更に、ログオン中の番組予約情報の利用者に対して、既存の番組予約情報を削除して、番組予約を行うかどうかを尋ねるメッセージを表示するステップを実行させるためのプログラム。
【００５７】
（付記１２）  付記１０記載のプログラムにおいて、更に、ログオン中の利用者に対して、直近の番組予約情報に切り替えて良いかどうかを尋ねるメッセージを表示するステップを実行させるためのプログラム。
【産業上の利用可能性】
【００５８】
本発明は、テレビ番組の録画機能を有するテレビ機能一体型情報処理装置において、テレビ受像機など録画に関する資源が１つであっても、複数の利用者が番組視聴や録画予約の時間が重複した場合（同時使用）に、それぞれの利用者の優先度に応じた録画を可能とするので、例えば家族（父親と息子）間で効率よく利用できる。
【図面の簡単な説明】
【００５９】
【図１】本発明を適用するテレビ機能一体型情報処理装置の構成図である。
【図２】本発明の一実施形態における利用者優先度識別機能を構成するブロック図である。
【図３】本発明の一実施形態におけるテレビ番組の録画予約が重複した場合のフローチャートである。
【図４】本発明の一実施形態におけるテレビ番組の視聴中に番組予約時間になった場合のフローチャートである。
【符号の説明】
【００６０】
１    ＣＰＵ
２    メモリ
３    モニタ
４    ＨＤＤ
５    ＴＶチューナ
６    キーボード
１１    優先度設定部
１２    利用者情報保存部
１３    予約重複判定部
１４    予約情報入力部
１５    利用者判定部
１６    タイマ部
１７    予約情報保存部
１８    ログオン・ログオフ部
１９    録画部
２０    録画保存部
【図１】
2007228182.tif 000003
【図２】
2007228182.tif 000004
【図３】
2007228182.tif 000005
【図４】
2007228182.tif 000006